(57)【要約】【課題】シロアリの侵入を効果的に防止することができる、防蟻配線・配管構造を提供する。【解決手段】防蟻配線・配管構造３は、建物の基礎１を配線・配管材２が貫通する貫通部からのシロアリの侵入を防止するものであって、保護管４と、配線・配管材２と、防蟻具５とを備える。保護管４は、防蟻成分を含有する合成樹脂により形成され、基礎１を貫通する。そこで、この保護管４内に、配線・配管材２が挿通されて配設される。そして、防蟻具５は、保護管４内にあって配線・配管材２の外周面に装着される。【選択図】  図１
2014141870.tif 000002
【特許請求の範囲】
【請求項１】
建物における基礎、床または壁からなる構造体を配線・配管材が貫通する貫通部からのシロアリの侵入を防止するための、防蟻配線・配管構造であって、
前記構造体を貫通する保護管と、その保護管内に挿通されて配設される前記配線・配管材と、少なくとも前記保護管内にあって前記配線・配管材の外周面に装着される、防蟻成分を含有する防蟻具とを、備え、
前記保護管は、防蟻成分を含有する合成樹脂により形成されることを特徴とする、防蟻配線・配管構造。
【請求項２】
防蟻成分を含有しない合成樹脂により形成された二つの非防蟻保護管を備え、
前記非防蟻保護管は、前記保護管の各端部に接続されて配管され、前記配線・配管材が、前記保護管および前記二つの非防蟻保護管内に挿通されることを特徴とする、請求項１に記載の防蟻配線・配管構造。
【請求項３】
前記防蟻具は、前記配線・配管材の外周面と前記保護管の内周面との間を閉塞するように設けられることを特徴とする、請求項１または２に記載の防蟻配線・配管構造。
【請求項４】
前記防蟻具は、防蟻成分を含有するとともにクッション性を有する材料により形成されることを特徴とする、請求項１ないし３のいずれか１項に記載の防蟻配線・配管構造。
【請求項５】
前記防蟻具は、防蟻成分を含有する不織布からなることを特徴とする、請求項１ないし４のいずれか１項に記載の防蟻配線・配管構造。
【請求項６】
前記防蟻具が前記保護管の内周面に保持された状態で、前記配線・配管材がその長手方向に移動可能となるよう、前記防蟻具の外周面と前記保護管の内周面とが接触することによるそれら防蟻具と保護管との前記長手方向への相対移動の抵抗が、前記防蟻具の内周面と前記配線・配管材の外周面とが接触することによるそれら防蟻具と配線・配管材との前記長手方向への相対移動の抵抗よりも大となることを特徴とする、請求項３に記載の防蟻配線・配管構造。
【請求項７】
前記防蟻具と前記配線・配管材との間に、前記防蟻具の防蟻成分が前記配線・配管材に移行するのを防止するシート材が配置されることを特徴とする、請求項１ないし５のいずれか１項に記載の防蟻配線・配管構造。
【請求項８】
前記防蟻具は、前記保護管の両方の端側に設けられることを特徴とする、請求項１ないし７のいずれか１項に記載の防蟻配線・配管構造。
【発明の詳細な説明】
【技術分野】
【０００１】
この発明は、建物における基礎、床または壁からなる構造体をシロアリの侵入を防いで貫通する防蟻配線・配管構造に関するものである。
【背景技術】
【０００２】
従来、建物の基礎等を配管が貫通する貫通部からは、シロアリが侵入する虞があることから、その貫通部からのシロアリの侵入を防止する配管構造が考えられた（例えば、特許文献１参照）。図４に示されるように、この配管構造１１は、コンクリート製の基礎１２を貫通する鞘管１３と、その鞘管１３に挿通される配管１４と、鞘管１３の外周面に設置される外防蟻部材１５と、鞘管１３の内周面と配管１４の外周面との間に設置される内防蟻部材１６とから構成されていた。
【先行技術文献】
【特許文献】
【０００３】
【特許文献１】特開２０１１−２６９４５号公報
【発明の概要】
【発明が解決しようとする課題】
【０００４】
しかし、前記従来の配管構造１１にあっては、鞘管１３の外周面を突き進んだシロアリが、外防蟻部材１５に達すると、鞘管１３を食い破って鞘管１３内に侵入し、さらには、鞘管１３の内周面とか配管１４の外周面上を進み、床下、つまり建物内に侵入する虞があった。
【０００５】
この発明は、上記した従来の欠点を解決するためになされたものであり、その目的とするところは、シロアリの侵入を効果的に防止することができる、防蟻配線・配管構造を提供することにある。
【課題を解決するための手段】
【０００６】
この発明に係る防蟻配線・配管構造は、前記目的を達成するために、次の構成からなる。すなわち、
請求項１に記載の発明に係る防蟻配線・配管構造は、建物における基礎、床または壁からなる構造体を配線・配管材が貫通する貫通部からのシロアリの侵入を防止するための、防蟻配線・配管構造である。この防蟻配線・配管構造は、前記構造体を貫通する保護管と、その保護管内に挿通されて配設される前記配線・配管材と、少なくとも前記保護管内にあって前記配線・配管材の外周面に装着される、防蟻成分を含有する防蟻具とを、備える。そして、前記保護管は、防蟻成分を含有する合成樹脂により形成される。
【０００７】
この防蟻配線・配管構造によると、建物における構造体を貫通するとともに配線・配管材が挿通される保護管自身が、防蟻成分を含有する合成樹脂により形成されている。これにより、シロアリが、保護管の外周面上とか内周面上を通って侵入することはなく、また、保護管を食い破ってその内外周面間を行き来することもない。そして、保護管内においては、配線・配管材の外周面に、防蟻成分を含有する防蟻具が装着されている。このため、シロアリが、配線・配管材の外周面上を通って侵入しようとする場合には、保護管内にある防蟻具が妨げとなり、それ以上の進行を防ぐことができる。
【０００８】
また、請求項２に記載の発明に係る防蟻配線・配管構造は、請求項１に記載の防蟻配線・配管構造において、防蟻成分を含有しない合成樹脂により形成された二つの非防蟻保護管を備える。ここで、前記非防蟻保護管は、前記保護管の各端部に接続されて配管され、前記配線・配管材が、前記保護管および前記二つの非防蟻保護管内に挿通される。
【０００９】
また、請求項３に記載の発明に係る防蟻配線・配管構造は、請求項１または２に記載の防蟻配線・配管構造において、前記防蟻具は、前記配線・配管材の外周面と前記保護管の内周面との間を閉塞するように設けられる。こうすることで、保護管内を進行するシロアリが防蟻具を越えて進むことを的確に防ぐことができる。
【００１０】
また、請求項４に記載の発明に係る防蟻配線・配管構造は、請求項１ないし３のいずれか１項に記載の防蟻配線・配管構造において、前記防蟻具は、防蟻成分を含有するとともにクッション性を有する材料により形成される。こうして、防蟻具が、クッション性を有することで、配線・配管材に対する密着度を高めることができる。
【００１１】
また、請求項５に記載の発明に係る防蟻配線・配管構造は、請求項１ないし４のいずれか１項に記載の防蟻配線・配管構造において、前記防蟻具は、防蟻成分を含有する不織布からなる。
【００１２】
また、請求項６に記載の発明に係る防蟻配線・配管構造は、請求項３に記載の防蟻配線・配管構造において、前記防蟻具が前記保護管の内周面に保持された状態で、前記配線・配管材がその長手方向に移動可能となるよう、前記防蟻具の外周面と前記保護管の内周面とが接触することによるそれら防蟻具と保護管との前記長手方向への相対移動の抵抗が、前記防蟻具の内周面と前記配線・配管材の外周面とが接触することによるそれら防蟻具と配線・配管材との前記長手方向への相対移動の抵抗よりも大となっている。これにより、配線・配管材がその長手方向に移動しても、防蟻具は、移動することがなく、このため、その防蟻具を保護管内の所定の位置に保持したまま、配線・配管材の配設作業を行なうことができる。
【００１３】
また、請求項７に記載の発明に係る防蟻配線・配管構造は、請求項１ないし５のいずれか１項に記載の防蟻配線・配管構造において、前記防蟻具と前記配線・配管材との間に、前記防蟻具の防蟻成分が前記配線・配管材に移行するのを防止するシート材が配置される。
【００１４】
また、請求項８に記載の発明に係る防蟻配線・配管構造は、請求項１ないし７のいずれか１項に記載の防蟻配線・配管構造において、前記防蟻具は、前記保護管の両方の端側に設けられる。これにより、保護管内において、配線・配管材の外周面上を通って侵入しようとするシロアリの進行を、一層確実に防ぐことができる。
【発明の効果】
【００１５】
この発明に係る防蟻配線・配管構造によれば、保護管自身を防蟻成分を含有する合成樹脂により形成し、保護管内の配線・配管材に防蟻具を装着することで、シロアリの侵入を効果的に防止することができる。
【図面の簡単な説明】
【００１６】
【図１】この発明の一実施の形態の部分断面図である。
【図２】この発明の他の実施の形態の断面図である。
【図３】この発明のさらに他の実施の形態の部分断面図である。
【図４】従来の配管構造を示す断面図である。
【発明を実施するための形態】
【００１７】
以下、この発明に係る防蟻配線・配管構造を実施するための形態を図面に基づいて説明する。
【００１８】
図１は、本発明の一実施の形態を示す。図中符号１は、建物の基礎を示す。２は、配線・配管材（配線材または配管材）を示す。３は、防蟻配線・配管構造を示し、この防蟻配線・配管構造３は、前記基礎１を前記配線・配管材２が貫通する貫通部からのシロアリの侵入を防ぐためのものである。
【００１９】
防蟻配線・配管構造３は、基礎１を貫通するようにしてその基礎１に埋設される保護管４と、その保護管４内に挿通されて配設される配線・配管材２と、少なくとも保護管４内にあって配線・配管材２の外周面に装着される、防蟻成分を含有する防蟻具５とを、備える。そして、前記保護管４は、防蟻成分を含有する合成樹脂により形成される。
【００２０】
また、防蟻配線・配管構造３は、防蟻成分を含有しない合成樹脂により形成された二つの非防蟻保護管６、６を備える。この非防蟻保護管６は、保護管４の各端部に接続されて配管され、前記配線・配管材２が、保護管４および二つの非防蟻保護管６、６内に挿通される。
【００２１】
ここにおいて、防蟻具５は、配線・配管材２の外周面と保護管４の内周面との間を閉塞するように設けられる。そして、防蟻具５が保護管４の内周面に保持された状態で、配線・配管材２がその長手方向Ｐに移動可能となるよう、防蟻具５の外周面と保護管４の内周面とが接触することによるそれら防蟻具５と保護管４との前記長手方向Ｐへの相対移動の抵抗が、防蟻具５の内周面と配線・配管材２の外周面とが接触することによるそれら防蟻具５と配線・配管材２との前記長手方向Ｐへの相対移動の抵抗よりも大となっている。
【００２２】
具体的には、基礎１は、コンクリート製であって、例えば、床下に配設される底盤からなる。そして、配線・配管材２は、配線材としては、電力用の線とか通信用の線等であったりし、また、配管材としては、給水管とか排水管等であったりする。
【００２３】
保護管４は、前述したように防蟻成分を含有する合成樹脂により形成されるが、この防蟻成分としては、例えば、ピレスロイド系剤、有機リン剤、カーバメイト剤、ホウ素化合物、フッ素化合物などが挙げられ、これら防蟻成分を適宜選択し、また、その含有率を調整することで、保護管４は、シロアリを忌避する忌避機能を備えたり、シロアリを殺虫する殺虫機能を備えたりする。また、図示実施の形態においては、保護管４は、自在に屈曲可能な波付管からなる。
【００２４】
防蟻具５は、前述したように防蟻成分を含有するが、この防蟻成分としては、保護管４における防蟻成分と同様の成分が挙げられ、保護管４の場合と同様に、防蟻成分を適宜選択し、また、その含有率を調整することで、防蟻具５は、シロアリを忌避する忌避機能を備えたり、シロアリを殺虫する殺虫機能を備えたりする。そして、図示実施の形態においては、この防蟻具５は、保護管４の両方の端側に設けられる。
【００２５】
また、詳細には、防蟻具５は、防蟻成分を含有するとともにクッション性を有する材料により形成される。より詳細には、防蟻具５は、防蟻成分を含有する不織布からなり、配線・配管材２に巻き付けられる。そして、この不織布からなる防蟻具５は、内周面が粘着性を有しないのに対し、外周面が粘着性を有して、その粘着性を有しない内周面が配線・配管材２の外周面に接し、粘着性を有する外周面が保護管４の内周面に接する。その結果、前述したように、防蟻具５の外周面と保護管４の内周面とが接触することによるそれら防蟻具５と保護管４との前記長手方向Ｐへの相対移動の抵抗が、防蟻具５の内周面と配線・配管材２の外周面とが接触することによるそれら防蟻具５と配線・配管材２との前記長手方向Ｐへの相対移動の抵抗よりも大となる。
【００２６】
もっとも、図示実施の形態においては、保護管４は、波付管からなり、その内周面には、凹凸が連続して形成されている。このため、その凹凸における凹部にクッション性を有する防蟻具５が入り込むことで前記抵抗が増加する。したがって、このような場合には、防蟻具５の外周面が粘着性を備えることは必ずしも必要ではない。
【００２７】
非防蟻保護管６は、長尺の非防蟻保護管本体６ａと、その非防蟻保護管本体６ａを保護管４に連結するための非防蟻継手６ｂとからなる。この非防蟻継手６ｂは、筒状に形成されており、その一方端側の受口６ｃに、保護管４が挿入されて接続され、他方端側の受口６ｃに、非防蟻保護管本体６ａが挿入されて接続される。
【００２８】
次に、以上の構成からなる防蟻配線・配管構造３の作用効果について説明する。この防蟻配線・配管構造３によると、基礎１を貫通するとともに配線・配管材２が挿通される保護管４自身が、防蟻成分を含有する合成樹脂により形成されている。これにより、シロアリが、保護管４の外周面上とか内周面上を通って侵入することはなく、また、保護管４を食い破ってその内外周面間を行き来することもない。そして、保護管４内においては、配線・配管材２の外周面に、防蟻成分を含有する防蟻具５が装着されている。このため、シロアリが、配線・配管材２の外周面上を通って侵入しようとする場合には、保護管４内にある防蟻具５が妨げとなり、それ以上の進行を防ぐことができる。すなわち、この防蟻配線・配管構造３によれば、保護管４自身を防蟻成分を含有する合成樹脂により形成し、保護管４内の配線・配管材２に防蟻具５を装着することで、シロアリの侵入を効果的に防止することができる。
【００２９】
また、保護管４が、防蟻成分を含有する合成樹脂により形成されることから、保護管４の長さの全体に、防蟻の効果を有する。このため、保護管４内に配置される防蟻具５は、その配置の位置を問われることはなく、施工性を良くすることができる。
【００３０】
また、防蟻具５は、配線・配管材２の外周面と前記保護管４の内周面との間を閉塞するように設けられる。これにより、保護管４内を進行するシロアリが防蟻具５を越えて進むことを的確に防ぐことができる。
【００３１】
また、防蟻具５が、クッション性を有することで、配線・配管材２に対する密着度を高めることができる。そして、図示実施の形態においては、防蟻具５は、保護管４の内周面にも接することから、この保護管４に対しても密着度を高めることができる。また、防蟻具５を保護管４内に配置するにあたっては、保護管４内に挿通されて配設された配線・配管材２に対し、保護管４の外において配線・配管材２に防蟻具５を装着する。そこで、防蟻具５がクッション性を有することから、その防蟻具５を、径小となるように圧縮して保護管４内に押し入れることができる。そして、保護管４内において、防蟻具５は、その復元力により保護管４の内周面に密着する。また、防蟻具５と配線・配管材２とは、その配線・配管材２の長手方向Ｐに相対移動可能となるように、それら防蟻具５の内周面と配線・配管材２の外周面とが接触している。このため、配線・配管材２をその長手方向Ｐに移動させるこなく、防蟻具５のみを保護管４内へと移動させることができる。そして、図示実施の形態においては、保護管４には、非防蟻保護管６が接続されている。このため、防蟻具５の配線・配管材２への装着にあたっては、非防蟻保護管６（詳しくは、非防蟻継手６ｂ）を保護管４から外した後に、それら保護管４と非防蟻保護管６との間で、装着の作業が行なわれる。
【００３２】
また、防蟻具５は、保護管４の両方の端側に設けられる。これにより、保護管４内において、配線・配管材２の外周面上を通って侵入しようとするシロアリの進行を、一層確実に防ぐことができる。
【００３３】
また、防蟻具５の外周面と保護管４の内周面とが接触することによるそれら防蟻具５と保護管４との長手方向Ｐへの相対移動の抵抗が、防蟻具５の内周面と配線・配管材２の外周面とが接触することによるそれら防蟻具５と配線・配管材２との長手方向Ｐへの相対移動の抵抗よりも大となっている。これによって、配線・配管材２がその長手方向Ｐに移動しても、防蟻具５は、移動することがない。このため、その防蟻具５を保護管４内の所定の位置に保持したまま、配線・配管材２の配設作業を行なうことができる。
【００３４】
なお、本発明は、上述した実施の形態に限定されるわけではなく、その他種々の変更が可能である。例えば、基礎１は、床下に配設される底盤でなくとも、その底盤から起立する立上り壁等であってもよい。さらに、防蟻配線・配管構造３が対象とするのは、建物の基礎１の他に、建物の床とか壁であってもよい。すなわち、この防蟻配線・配管構造３は、建物における基礎、床または壁からなる構造体を対象とする。
【００３５】
また、保護管４は、基礎１（構造体）を貫通するようにして基礎１（構造体）に埋設されているが、埋設されるのではなく、基礎１（構造体）に予めあけられた貫通孔に対して挿入されてもよい。すなわち、保護管４は、埋設の有無を問わず、基礎１（構造体）を貫通するものであればよい。
【００３６】
また、防蟻具５は、少なくとも保護管４内に配置されればよく、保護管４と非防蟻保護管６（詳しくは、非防蟻継手６ｂ）とに跨って配置されても構わない。
【００３７】
また、防蟻配線・配管構造３は、保護管４の各端部に接続される二つの非防蟻保護管６、６を備えているが、この非防蟻保護管６に替えて、保護管４の各端部に、防蟻成分を含有する他の保護管が接続されてもよい。また、図２に示すように、保護管４の各端部には、非防蟻保護管６とか他の保護管が接続されることなく、配線・配管材２が、保護管４の各端部から露出していてもよい。また、図示を省略するが、保護管４の一方の端部にのみ非防蟻保護管６等の保護管が接続され、他方の端部からは配線・配管材２が露出して配設されてもよい。
【００３８】
また、図３に示すように、防蟻具５と配線・配管材２との間に、防蟻具５の防蟻成分が配線・配管材２に移行するのを防止するシート材７が配置されてもよい。このシート材７は、例えば、ステンレスとかアルミ等の金属からなる。そして、シート材７は、テープ状に形成されて、配線・配管材２に巻かれる。これにより、防蟻具５が防蟻成分とともに有機溶剤を含有する場合であっても、その有機溶剤が配線・配管材２に移行することがない。このことは、配線・配管材２が、架橋ポリエチレン管等の合成樹脂管からなる給水・給湯管（給水管または給湯管）である場合には、有効に作用する。また、ここで、配線・配管材２が、断熱材としての発泡材で被覆された発泡被覆付きの給水・給湯管である場合には、部分的にその発泡被覆を除去して給水・給湯管を露出させ、その露出させた部分にシート材７を巻き付けるのがよい。また、この図３は、図１に示す例に対してシート材７を追加したが、他の例においても、シート材７を追加してよいのは勿論である。
【００３９】
また、防蟻具５は、クッション性を有しておれば、不織布からならなくとも、ゴム等からなっていてもよい。また、防蟻具５は、クッション性を有する材料により形成されなくともよい。
【００４０】
また、防蟻具５は、配線・配管材２の外周面と保護管４の内周面との間を閉塞するように設けられなくとも、保護管４の内周面と防蟻具５の外周面との間に隙間が形成されていてもよい。
【００４１】
また、防蟻具５は、保護管４の両方の端側に設けられなくとも、一方の端側のみに設けられてもよく、また、保護管４の中間位置に設けられてもよい。
【符号の説明】
【００４２】
１  基礎（構造体）
２  配線・配管材
３  防蟻配線・配管構造
４  保護管
５  防蟻具
６  非防蟻保護管
７  シート材
Ｐ  長手方向
【図１】
2014141870.tif 000003
【図２】
2014141870.tif 000004
【図３】
2014141870.tif 000005
【図４】
2014141870.tif 000006